(57)【要約】      （修正有）【課題】腐食成分を含む水中に設置される場合でも、帯状板の脱離を確実に防止することができる井戸用水中モータポンプを提供する。【解決手段】帯状板４により吸込ケーシング１と吐出ケーシング２とを上下方向に緊締して、間に複数の中間ケーシング３を挟圧固定する井戸用水中モータポンプＭＰは、帯状板４の上端及び下端を折り曲げて屈曲部４ａ，４ｂを夫々形成し、吐出ケーシング２の外表面に帯状板の上端の屈曲部４ａを係止する係止部２２ａを設け、吸込ケーシングは、最下層の中間ケーシング３の下面に当接する環状の上板部１１の下方に、吸込口Ｓ１を配置される環状の下板部１２を有し、この下板部１２に下方からのボルト１３の挿通を許容する挿通孔を設け、この挿通孔に挿通されたボルト１３を螺挿するネジ穴が形成された可動片１５が吸込口Ｓ１に配置され、この可動片１５に帯状板４の下端の屈曲部４ａを係止する。【選択図】図１
2018084155.tif 000002
【特許請求の範囲】
【請求項１】
吸込口を有する吸込ケーシングと、吐出口を有する吐出ケーシングと、吸込ケーシングから吐出ケーシングに向かう方向を上とし、吸込ケーシングと吐出ケーシングとの間で上下方向に積層される羽根車を内蔵する複数の中間ケーシングと、吸込ケーシングと吐出ケーシングとの間で上下方向にのびる複数の帯状板とを備え、これら帯状板により吸込ケーシングと吐出ケーシングとを上下方向に緊締して、吸込ケーシングと吐出ケーシングとの間に複数の中間ケーシングを挟圧固定する井戸用水中モータポンプにおいて、
前記帯状板の上端及び下端を折り曲げて屈曲部を夫々形成し、
前記吐出ケーシングの外表面に前記帯状板の上端の屈曲部を係止する係止部を設け、
前記吸込ケーシングは、最下層の中間ケーシングの下面に当接する環状の上板部の下方に、吸込口となる空隙を存して配置される環状の下板部を有し、この下板部に下方からのボルトの挿通を許容する挿通孔を設け、この挿通孔に挿通されたボルトを螺挿するネジ穴が形成された可動片が前記空隙に配置され、この可動片に前記帯状板の下端の屈曲部を係止する係止部を設けたことを特徴とする井戸用水中モータポンプ。
【請求項２】
前記吸込ケーシングは、前記下板部の下方に空隙を存して設けられる環状の他の板部を有し、この他の板部に前記羽根車を駆動するモータが連結されることを特徴とする請求項１記載の井戸用水中モータポンプ。
【請求項３】
前記可動片の周方向両端の側縁には上下方向にのびる溝部が凹設され、この溝部に嵌合する案内レール部が、前記吸込ケーシングに設けられることを特徴とする請求項１または２記載の井戸用水中ポータポンプ。
【発明の詳細な説明】
【技術分野】
【０００１】
本発明は、吸込口を有する吸込ケーシングと、吐出口を有する吐出ケーシングと、吸込ケーシングから吐出ケーシングに向かう方向を上とし、吸込ケーシングと吐出ケーシングとの間で上下方向に積層される羽根車を内蔵する複数の中間ケーシングと、吸込ケーシングと吐出ケーシングとの間で上下方向にのびる複数の帯状板とを備え、これら帯状板により吸込ケーシングと吐出ケーシングとを上下方向に緊締して、吸込ケーシングと吐出ケーシングとの間に複数の中間ケーシングを挟圧固定する井戸用水中モータポンプに関する。
【背景技術】
【０００２】
この種の井戸用水中モータポンプは、例えば特許文献１で知られている。このものでは、帯状板の下端を折り曲げて舌片を形成し、この舌片を吸込ケーシングにボルトで固定する一方で、帯状板の上端をネジボルトの下部に溶接し、このネジボルトを吐出ケーシングに固定の受座に下方から挿通し、ネジボルトの上端にナットを螺合させてネジボルトを引き上げることで、吸込ケーシングと吐出ケーシングとを上下方向に緊締している。
【０００３】
このような井戸用水中モータポンプは、公知の方法を用いて水中に設置されるが、温泉のように腐食成分を含む水中に設置される場合がある。この場合、上記従来例のように帯状板に溶接部分があると、当該溶接部分が腐食成分によって腐食し、ひいては井戸用水中モータポンプから帯状板が脱離するという問題がある。
【先行技術文献】
【特許文献】
【０００４】
【特許文献１】特開２００１−４１１８７号公報
【発明の概要】
【発明が解決しようとする課題】
【０００５】
本発明は、以上の点に鑑み、腐食成分を含む水中に設置される場合でも、帯状板の脱離を確実に防止することができる井戸用水中モータポンプを提供することをその課題とするものである。
【課題を解決するための手段】
【０００６】
上記課題を解決するために、吸込口を有する吸込ケーシングと、吐出口を有する吐出ケーシングと、吸込ケーシングから吐出ケーシングに向かう方向を上とし、吸込ケーシングと吐出ケーシングとの間で上下方向に積層される羽根車を内蔵する複数の中間ケーシングと、吸込ケーシングと吐出ケーシングとの間で上下方向にのびる複数の帯状板とを備え、これら帯状板により吸込ケーシングと吐出ケーシングとを上下方向に緊締して、吸込ケーシングと吐出ケーシングとの間に複数の中間ケーシングを挟圧固定する本発明の井戸用水中モータポンプは、前記帯状板の上端及び下端を折り曲げて屈曲部を夫々形成し、前記吐出ケーシングの外表面に前記帯状板の上端の屈曲部を係止する係止部を設け、前記吸込ケーシングは、最下層の中間ケーシングの下面に当接する環状の上板部の下方に、吸入口となる空隙を存して配置される環状の下板部を有し、この下板部に下方からのボルトの挿通を許容する挿通孔を設け、この挿通孔に挿通されたボルトを螺挿するネジ穴が形成された可動片が前記空隙に配置され、この可動片に前記帯状板の下端の屈曲部を係止する係止部を設けたことを特徴とする。
【０００７】
本発明によれば、帯状板上端の屈曲部を吐出ケーシングの係止部に係止すると共に、帯状板下端の屈曲部を吸込ケーシングの上板部と下板部との間の空隙に配置した可動片の係止部に係止する。この状態で下板部の挿通孔に下方から挿通したボルトを可動片のネジ穴に螺挿させて可動片を引き下げることにより、吸込ケーシングと吐出ケーシングとを上下方向に緊締できる。そして、本発明によれば、上記従来例の如く帯状板に溶接部分が存在しないため、井戸用水中モータポンプが温泉のような腐食成分を含む水中に設置される場合でも、帯状板が腐食することがなく、帯状板の脱離を確実に防止することができる。
【０００８】
本発明において、前記吸込ケーシングは、前記下板部の下方に空隙を存して設けられる環状の他の板部を有し、この他の板部に前記羽根車を駆動するモータが連結されることが好ましい。これによれば、下板部と他の板部との間の空隙も吸込口とすることができるため、上板部と下板部との間の空隙に可動片を配置することで減少した分の吸込口面積を補うことができ、井戸用水中モータポンプの吐出量を確保することができる。
【０００９】
本発明において、前記可動片の周方向両端の側縁には上下方向にのびる溝部が凹設され、この溝部に嵌合する案内レール部が、前記吸込ケーシングに設けられることが好ましい。これによれば、可動片が案内レール部によって案内されるため、可動片を手で持たずにボルトを可動片のネジ穴に螺挿することができ、この螺挿作業を含む締付作業の作業性を向上できる。
【図面の簡単な説明】
【００１０】
【図１】本発明の実施形態の井戸用水中モータポンプ示す組立図。
【図２】図１に示す吸込ケーシングの拡大図。
【図３】図１に示す可動片の拡大図。
【図４】図１に示す吐出ケーシングの拡大図。
【図５】図１に示す帯状板の拡大図。
【発明を実施するための形態】
【００１１】
以下、図面を参照して、本発明の実施形態の井戸用水中モータポンプを説明する。図１に示すように、井戸用水中モータポンプＭＰは、吸込口を有する吸込ケーシング１と、吐出口を有する吐出ケーシング２と、吸込ケーシング１から吐出ケーシング２に向かう方向を上とし、吸込ケーシング１と吐出ケーシング２との間で上下方向に積層される複数個（本実施形態では３個）の中間ケーシング３と、吸込ケーシング１と吐出ケーシング２との間で上下方向にのびる複数個（本実施形態では周方向に９０°間隔で４個）の帯状板４とを備える。これら帯状板４により吸込ケーシング１と吐出ケーシング２とを上下方向に緊締することで、吸込ケーシング１と吐出ケーシング２との間に複数の中間ケーシング３が挟圧固定される。尚、中間ケーシング３としては、後述するモータで駆動される羽根車（図示省略）を内部に収納する公知のものを用いることができるため、ここでは詳細な説明を省略する。
【００１２】
図２も参照して、吸込ケーシング１は、最下層の中間ケーシング３の下面に当接する環状の上板部１１と、上板部１１の下方に吸込口となる空隙Ｓ１を存して配置される環状の下板部１２とを有し、この下板部１２には下方からのボルト１３の挿通を許容する挿通孔１２ａが開設されている。上板部１１と下板部１２との間にはスペーサ１４が周方向に間隔を存して複数介設されている。そして、空隙Ｓ１に、スペーサ１４の配置間隔部分に位置させて、可動片１５が配置される。尚、空隙Ｓ１のうちスペーサ１４の配置間隔部分の可動片１５を除いた空間やスペーサ１４に開設された開口部１４ａが吸込口となる。
【００１３】
図３も参照して、可動片１５は平面視略扇形に形成され、可動片１５の周方向両側縁には、上下方向にのびる溝部１５ａが凹設され、この溝部１５ａが嵌合する案内レール部１４ｂがスペーサ１４の周方向両側縁に設けられている。尚、案内レール部１４ｂの下端から下板部１２までの間隔が、可動片１５の上下方向寸法よりも大きくなるように、案内レール部１４ｂの長さが定寸されている。可動片１５には、挿通孔１２ａに挿通されたボルト１３を螺挿するネジ穴１５ｂが形成され、このネジ穴１５ｂよりも径方向外側の部分には、帯状板４の後述する屈曲部４ｂを係止する係止穴（係止部）１５ｃが設けられている。
【００１４】
吸込ケーシング１は、下板部１２の下方に吸込口となる空隙Ｓ２を存して設けられる環状の他の板部１６を更に有し、他の板部１６には、中間ケーシング３内に収納される羽根車を駆動するモータ（図示省略）が連結される。このように構成することで、下板部１２と他の板部１６との間の空隙Ｓ２も吸込口とすることができるため、上記空隙Ｓ１に可動片１５を配置することで減少した分の吸込口面積を補うことができ、当該井戸用水中モータポンプＭＰの吐出量を確保することができる。尚、図中の符号１６ａは、モータ連結用のボルトを挿通する挿通孔を示す。下板部１２と他の板部１６との間には柱状のスペーサ１７が周方向に間隔を存して複数介設されている。また、周方向一箇所のスペーサ１７及びスペーサ１４には、上記モータの電源ケーブル等を収容する収容溝１７ａが穿設されている
【００１５】
図４も参照して、吐出ケーシング２は、上部に吐出口２０を有する。吐出ケーシング２の内部には、公知の逆止弁２１が収納され、ポンプによって吸い上げられた水が逆流しないようにしている。吐出ケーシング２の外表面たる側面２２には、帯状板４の屈曲部４ａを係止する係止部２２ａが設けられている。
【００１６】
図５も参照して、帯状板４の上端及び下端は折り曲げられて夫々屈曲部４ａ，４ｂが形成されている。帯状板４上端の屈曲部４ａを、吐出ケーシング２の係止部２２ａに係止すると共に、帯状板４下端の屈曲部４ｂを、可動片１５の係止穴１５ｃに下方から係止する。
【００１７】
次に、上記井戸用水中モータポンプＭＰの組立方法について説明する。先ず、吸込ケーシング１、３個の中間ケーシング３及び吐出ケーシング２をこの順番で積層する。そして、帯状板４上端の屈曲部４ａを吐出ケーシング２の係止部２２ａに係止する。次いで、吸込ケーシング１の上板部１１と下板部１２との間の空隙Ｓ１に可動片１５を配置し、この可動片１５の係止穴１５ｃに下方から帯状板４下端の屈曲部４ｂを係止する。この状態で、下板部１２の挿通孔１２ａに下方からボルト１３を挿通し、この挿通したボルト１３を可動片１５のネジ穴１５ｂに螺挿する。これにより、可動片１５と共に帯状板４が下方に引き下げられて、吸込ケーシング１と吐出ケーシング２とを上下方向に締定できる。このとき、可動片１５の溝部１５ａを案内レール部１４ｂに嵌合させることで、可動片１５が案内レール部１４ｂによって案内されるため、可動片１５を手で持たずにボルト１３を可動片１５のネジ穴１５ｂに螺挿することができ、この螺挿作業を含む締付作業の作業性を向上できる。
【００１８】
このように組み立てられた井戸用水中モータポンプＭＰは、水中に設置される。設置方法については、公知の方法を用いることができるため、ここでは詳細な説明を省略する。例えば、井戸用水中モータポンプＭＰを用いて温泉を吸い揚げる場合、腐食成分を含む温泉中に井戸用水中モータポンプＭＰが設置され、帯状板４が温泉中に浸漬される。
【００１９】
本実施形態によれば、帯状板４の上端及び下端には屈曲部４ａ，４ｂが設けられているだけであり、従来例の如く溶接部分が存在しない。このため、帯状板４が温泉のように腐食成分を含む水中に浸漬される場合でも、帯状板４は腐食することがなく、当該井戸用水中モータポンプＭＰからの帯状板４の脱離を確実に防止することができる。
【００２０】
以上、本発明の実施形態について説明したが、本発明は上記に限定されるものではない。例えば、上記実施形態では、４個の帯状板４を周方向に等間隔（９０°間隔）で設けた場合を例に説明したが、帯状板４の個数や間隔は、適宜設定することができる。
【００２１】
また、上記実施形態では、３個の中間ケーシング３を備える場合を例に説明したが、中間ケーシング３の個数も井戸用水中モータポンプＭＰの設置状況等を考慮して適宜設定することができる。
【００２２】
また、上記実施形態では、可動片１５に係止部として係止穴１５ｃを開設した場合を例に説明したが、係止部の形状は屈曲部４ｂを係止できるものであれば任意であり、例えば溝状に形成してもよい。尚、屈曲部４ａ，４ｂの形状は、必ずしも同一である必要はなく、異なっていてもよい。
【００２３】
また、上記実施形態では、可動片１５を平面視略扇形に形成した場合を例に説明したが、可動片１５の形状は、上板部１１と下板部１２との間の空隙Ｓ１に配置できるものであれば任意であり、例えば、直方体状に形成することもできる。
【００２４】
また、上記実施形態では、吐出ケーシング２の側面に係止部２２ａを設けているが、例えば、吐出ケーシング２の吐出口２０が小径である場合には、吐出ケーシング２の上面に係止部を設けてもよい。
【符号の説明】
【００２５】
ＭＰ…井戸用水中モータポンプ、１…吸込ケーシング、１１…上板部、Ｓ１…吸込口となる空隙、１２…下板部、１２ａ…挿通孔、１３…ボルト、１４ｂ…案内レール部、１５…可動片、１５ａ…溝部、１５ｂ…ネジ穴、１５ｃ…係止穴（係止部）、Ｓ２…下板部１２の下方の空隙、１６…他の板部、２…吐出ケーシング、２０…吐出口、２２…吐出ケーシング２の側面（外表面）、２２ａ…係止部、３…中間ケーシング、４…帯状板、４ａ…帯状板４上端の屈曲部、４ｂ…帯状板４下端の屈曲部。
【図１】
2018084155.tif 000003
【図２】
2018084155.tif 000004
【図３】
2018084155.tif 000005
【図４】
2018084155.tif 000006
【図５】
2018084155.tif 000007